(57)【特許請求の範囲】
【請求項１】
間仕切りパネル本体の上面の左右両位置にそれぞれ、上方に突出可能な差込み凸が備えられると共に、天井側に選択用の多数の差込み凹が分散状態に備えられ、該パネルは、これら差込み凸をそれぞれ、選択されたいずれか２つの差込み凹に差し込み、下部がわを床面上に支承させて、立設状態に保持されるものとなされ、天井側の差込み凹の配置が、いずれか一方の差込み凸を差込み凹から抜出し、もう一方の差込み凸を回動中心としてパネルを回動変位させ、抜出した前記差込み凸を他の選択用差込み凹に差し込むことができるよう、決められていることを特徴とする可変間仕切り構造。
【請求項２】
３つ以上の間仕切りパネルの差込み凸を差し込む３つ以上の差込み凹を集中配置状態に備えた差込みコネクターが天井側に備えられている請求項１に記載の可変間仕切り構造。
【請求項３】
間仕切りパネル本体の上面の左右両位置にそれぞれ、上方に突出可能な差込み凸が備えられ、該パネルは、これら差込み凸をそれぞれ、天井側に備えられた第１、第２の差込み凹に差し込み、下部がわを床面上に支承させて、立設状態に保持され、かつ、
天井側に第３の差込み凹が備えられ、この第３の差込み凹の位置が、いずれか一方の差込み凸を差込み凹から抜出し、もう一方の差込み凸を回動中心としてパネルを回動変位させ、抜出した前記差込み凸をこの第３の選択用差込み凹に差し込むことができるよう、決められていることを特徴とする可変間仕切り構造。
【請求項４】
前記間仕切りパネル本体の下面の左右両位置にそれぞれ、下方に突出する接床足が備えられ、該接床足はそれぞれ、接床台とキャスターとを備え、接床台とキャスターの一方を他方よりも下方に相対的に突出させて接床させる選択的な切替えが可能となされている請求項１又は請求項３に記載の可変間仕切り構造。
【請求項５】
間仕切りパネル本体の上面の左右両位置にそれぞれ、上方に突出可能な差込み凸が備えられると共に、天井側に選択用の多数の差込み凹が分散状態に備えられ、該パネルは、これら差込み凸をそれぞれ、選択されたいずれか２つの差込み凹に差し込み、下部がわを床面上に支承させて、立設状態に保持されるものとなされ、
天井側に、３つ以上の間仕切りパネルの差込み凸を差し込む３つ以上の差込み凹を集中配置状態に備えた差込みコネクターが備えられていることを特徴とする可変間仕切り構造。
【発明の詳細な説明】
【０００１】
【発明の属する技術分野】
本発明は、可変間仕切り構造に関する。
【０００２】
【従来の技術及び課題】
住宅などでは、生活様式の変化や、室の使い方の変更に応じて、間取りを自由に変えることのできる可変間仕切り構造の提供が求められている。
【０００３】
本発明は、そのような要請に答えることのできる便利な可変間仕切り構造を提供することを課題とする。
【０００４】
【課題を解決するための手段】
上記の課題は、間仕切りパネル本体の上面の左右両位置にそれぞれ、上方に突出可能な差込み凸が備えられると共に、天井側に選択用の多数の差込み凹が分散状態に備えられ、該パネルは、これら差込み凸をそれぞれ、選択されたいずれか２つの差込み凹に差し込み、下部がわを床面上に支承させて、立設状態に保持されるものとなされていることを特徴とする可変間仕切り構造によって解決される。
【０００５】
即ち、この可変間仕切り構造では、天井側に選択用の多数の差込み凹が分散状態に備えられていることにより、これら選択用の多数の差込み凹のうちから、間仕切りパネルの差込み凸を差し込む２つの差込み凹を選択することによって、間仕切りパネルの取付け位置を自由に決めていくことができ、生活様式の変化や、室の使い方の変更に応じて、間取りを自由に変えることができる。
【０００６】
しかも、間仕切りパネルは、パネル本体の上面の左右両位置に備えさせた差込み凸を、天井側の差込み凹に差し込み、下部がわを床面上に支承させて、立設状態に保持されるものとなされているから、間仕切りパネルの下部に、自立用の足を側方に大きく突出させる必要がなく、そのため、床の有効利用範囲を広く確保することができる。
【０００７】
加えて、間仕切りパネルの取付けは、パネルを床面上に支承させ、差込み凸を上方に突出させて差込み凹に差し込むだけでよく、取付けを容易に行うことができる。
【０００８】
上記の可変間仕切り構造において、天井側の差込み凹の配置が、いずれか一方の差込み凸を差込み凹から抜出し、もう一方の差込み凸を回動中心としてパネルを回動変位させ、抜出した前記差込み凸を他の選択用差込み凹に差し込むことができるよう、決められているものとすることにより、間仕切りパネルを回動させてその向きを変更するというかたちでの間取り変更を行っていくことも可能となる。
【０００９】
また、３つ以上の間仕切りパネルの差込み凸を差し込む３つ以上の差込み凹を集中配置状態に備えた差込みコネクターが天井がわに備えられている構造とすることにより、差込みコネクターを中心に間仕切りパネルを３方以上に延ばした取付け状態に取り付けていくことも可能となり、間取りをより自由度高く変更していくことができる。
【００１０】
そして、間仕切りパネル本体の下面の左右両位置にそれぞれ、下方に突出する接床足が備えられ、該接床足はそれぞれ、接床台とキャスターとを備え、接床台とキャスターの一方を他方よりも下方に相対的に突出させて接床させる選択的な切替えが可能となされていることにより、間仕切りパネルを回動させてその向きを変更する場合に、回動変位させるがわの接床足においてキャスターを接床台よりも下方に突出させた状態とすることで、間仕切りパネルの向きを楽にかつスムーズに変更することができる。しかも、キャスターを接床状態にすることによって、間仕切りパネルを開き戸のように機能させる用い方も可能となる。
【００１１】
【発明の実施の形態】
次に、本発明の実施形態を図面に基づいて説明する。
【００１２】
図４（イ）に示す間仕切りパネル１において、２はパネル本体、３，３は差込み凸、４，４は接床足である。パネル本体２は方形状をなし、差込み凸３，３は、このパネル本体２の上面の左右両位置に備えられ、接床足４，４は、パネル本体２の下面の左右両位置に備えられている。間仕切りパネル１は、両足４，４を床面５に支承させ、差込み凸３を天井６がわの差込み凹７，７に差し込んだ状態にすることにより、立設状態に保持されるようになされている。
【００１３】
差込み凸３は、図５（イ）（ロ）に示すように、パネル本体２の上面から上方へと所定の高さ突出可能であり、この突出のため、パネル本体２の上面に所定の深さの穴８が開口され、この穴８に差込み凸体９が出没可能に備えられている。差込み凸体９のこの出没操作にため、穴８の底面と差込み凸体９の下面との間にコイルスプリングなどによるバネ１０が介設されて、差込み凸体９が上方、即ち突出方向に付勢されるようになされており、また、パネル本体２の側面には操作レバー１１が備えられて、この操作レバー１１を下げる操作をすることで、差込み凸体９がバネ１０の付勢力に抗して下方に後退されるようになされている。１２は伝動機構であり、操作レバー１１の動きを差込み凸体９に伝えるもので、パネル本体２に内蔵されている。差込み凸体９は、その上端に球体１３を備え、球体１３は転動自在で、キャスター機能を有する。
【００１４】
接床足４は、図７（イ）（ロ）に示すように、パネル本体２の下面から下方に突出されたネジ棒１４先端部にキャスター１５を備えさせ、かつ、ネジ棒１４に逆カップ状ないし逆椀状の接床台１６を螺合させて構成されているもので、接床台１６を回転してこれを下方に移動させていくことで、接床台１６がキャスター１５よりも下方に突出され、接床台１６を回転させてこれを上方に移動させていくことで、キャスター１５が接床台１６よりも下方に突出されるようになされている。このようにして、接床台１６とキャスター１５の一方を他方よりも下方に相対的に突出させて接床させる選択的な切替えが可能となされている。また、パネル本体２の下面高さ位置と床面高さ位置との高さ調整は、接床台１６を回転してこれを上下に高さ調整することによってある程度の対応は可能であるが、必ずしも十分でない場合を考慮し、図示しないネジ機構により、ネジ棒１４の高さ位置をパネル本体２に対し上下に高さ調整し得るようになされているのがよい。
【００１５】
そして、上記の間仕切りパネル１の上端がわを天井がわに保持させるため、図１、図２に示すように、天井６がわには、差込みコネクター１７…が正三角形配置において、隣り合う差込みコネクター１７，１７間にパネル一つ分の幅の間隔をおくように、分散状態に備えられている。各差込みコネクター１７は、図６  （イ）に示すように、天井面６と略面一に天井面材に組み込まれて備えられている構成となされていてもよいし、図６（ロ）に示すように、差込みコネクター１７の上面に小突起１８を備えさせ、この小突起１８を、天井面６の小穴１９に嵌合させて、差込みコネクター１７を天井面６の下方に突出させる態様で備えられたものであってよいし、その他の態様で天井がわに備えられたものであってもよい。そして、差込みコネクター１７には、３つの差込み凹７，７，７が備えられ、一つの差込みコネクター１７に最大３つの間仕切りパネル１の差込み凸３を差し込むことができるようになされている。
【００１６】
間仕切りパネル１は、図４（イ）に示すように、上面左右の差込み凸３，３を上方に突出させて、天井６がわの隣り合う２つの差込みコネクター１７，１７のいずれかの差込み凹７，７に差し込み、下面左右の接床足４，４の接床台１６，１６を床面５上に接床させた状態にすることによって、立設状態に保持される。
【００１７】
取り付けられた間仕切りパネル１を取り外して新たな取付け位置に取り付ける場合は、レバー１１の操作によって左右の差込み凸体９を天井がわの差込み凹７から抜出し、新たな取付け位置へと運び、そして、上記のように、上面左右の差込み凸３，３を上方に突出させて、改めて選択された天井６がわの隣り合う２つの差込みコネクター１７，１７のいずれかの差込み凹７，７に差し込むようにする。パネル１を運んでいく際には、接床台１６を回転させて左右のキャスター１５，１５を下方に突出させることによって移動を楽に行うことができる。こうして、間仕切りパネルの差込み凸３を差し込む天井がわの２つの差込み凹７，７を選択することによって、間仕切りパネル１の取付け位置を自由に変更していくことができ、生活様式の変化や、室の使い方の変更に応じて、間取りを自由に変えていくことができる。
【００１８】
図１及び図２は、複数の間仕切りパネル１…の組み合わせによって、一つの室を２室２１，２２に仕切った例を示す。２３は出入用のドア、２４，２４はベッドである。この取付け状態では、ドア２３を通じて、いずれの室２１，２２へも出入りすることができる。
【００１９】
この状態から、図３（イ）に示すように、ドア２３がわの２つの間仕切りパネル１，１のうちの左がわのパネル１の向きを変えることで、一方の室を出入りできない閉ざされた室にすることができる。また、図３（ロ）に示すように、ドア２３がわの２つの間仕切りパネル１，１のうちの右がわのパネル１の向きを変えることで、もう一方の室を出入りできない閉ざされた室にすることもできる。図３（イ）では一つの差込みコネクターに３つの間仕切りパネルが連結されている状態が形成される。
【００２０】
このように、取付け状態のパネルを移動することなく、その向きだけを変更する場合は、図４に示すように、一方の差込み凸３のみを天井がわの差込み凹７から抜出し、間仕切りパネル１をもう一方の差込み凸３を回動中心として回動させ、そして、抜出された上記差込み凸３を新たな差込み凹７、即ち第３の差込み凹に差し込むようにすればよい。回動に際しては、抜出したがわの差込み凸３の下方の接床台１６を回転させてキャスター１５を接床状態にすることによって、間仕切りパネル１の回動操作を楽に行うことができる。その際、キャスター１５を安定良い接床状態にするため、必要に応じて、ネジ棒１４の高さ位置を調整するのもよい。
【００２１】
また、上記の図４（ロ）に示すように、一方の差込み凸３のみを天井がわの差込み凹７から抜出し、そして、この抜出したがわの差込み凸３の下方の接床台１６を回転させてキャスター１５を接床させた状態に保持することによって、図３（ハ）に示すように、この間仕切りパネル１を出入用の開き戸として用いることもできるし、また、間仕切りパネルの向きを小角度単位で日常的に手軽に変更していくことも可能である。
【００２２】
以上に、本発明の実施形態を示したが、本発明はこれに限られるものではなく、発明思想を逸脱しない範囲で各種の変更が可能である。例えば、上記の実施形態では、差込みコネクター１７…は、天井がわに正三角形配置に分散状態に備えられて、６０°単位で向きを変えられるようになされているが、その他、例えば正方形配置に分散状態に備えられて、９０°単位で向きを変えられるようになされていてもよい。また、本発明の可変間仕切り構造は、一般住宅のほか、宿泊施設や飲食店の客室、イベント会場、店舗、倉庫などにおいて用いられてもよい。
【００２３】
【発明の効果】
以上の次第で、本発明の可変間仕切り構造は、上記のような構成を有するものであるから、生活様式の変化や、室の使い方の変更に応じて、間取りを自由に変えていくことができる。
【図面の簡単な説明】
【図１】実施形態の可変間仕切り構造を用いた室の斜視図である。
【図２】同平面図である。
【図３】図（イ）ないし図（ハ）はそれぞれ間仕切りパネルの向き変更の例を示す平面図である。
【図４】図（イ）は間仕切りパネルの取付け状態を示す正面図、図（ロ）は間仕切りパネルを回動可能な状態にした正面図である。
【図５】間仕切りパネルの差込み凸を示すもので、図（イ）は突出状態の断面正面図、図（ロ）は退入状態の断面正面図である。
【図６】図（イ）は差込みコネクターの断面斜視図、図（ロ）は他の形式の差込みコネクターの取付け状態を示す断面側面図である。
【図７】間仕切りパネルの接床足を示すもので、図（イ）は接床台を接床させた状態の断面正面図、図（ロ）はキャスターを接床台よりも相対的に下方に突出させた状態の断面正面図である。
【符号の説明】
１…間仕切りパネル
２…パネル本体
３…差込み凸
４…接床足
５…床面
６…天井
７…差込み凹
１５…キャスター
１６…接床台
１７…差込みコネクター
【図１】
0004021563.tif 000002
【図２】
0004021563.tif 000003
【図３】
0004021563.tif 000004
【図４】
0004021563.tif 000005
【図５】
0004021563.tif 000006
【図６】
0004021563.tif 000007
【図７】
0004021563.tif 000008